(57)【要約】      （修正有）【課題】水と油の境界面が幅広い領域で安全に使用できる油水槽フライヤー装置を提供する。【解決手段】食品フライヤー装置に関し、より詳細には、広い水位範囲で安全に動作できるようにした油水槽フライヤー装置に関する。本考案は、水と揚げ油が収容される空間を形成する油水槽１２０と、油水槽１２０の内部に形成され、油水槽１２０の底面１２２から垂直方向に形成される垂直管１３２と、油水槽１２０の側面を貫通するように形成される水平管１３４とが互いに連通するように連結されて形成される冷却管１３０と、油水槽１２０の内部において、冷却管１３０の上部に形成される加熱手段１４０と、油水槽１２０に載置され、揚げ物の収容空間を形成する揚げカゴ１５０と、を含む。【選択図】図２
0003216930.tif 000002
【実用新案登録請求の範囲】
【請求項１】
水と揚げ油が収容される空間を形成する油水槽と、
前記油水槽の内部に形成され、前記油水槽の側面を貫通するように形成される水平管と、
前記油水槽の底面から垂直方向に形成され、前記水平管と連通するように連結される垂直管と
を含む冷却管と、
前記油水槽の内部において、前記冷却管の上部に形成される加熱手段と、
前記油水槽に載置され、揚げ物の収容空間を形成する揚げカゴと、
前記油水槽の底面が床から離間した状態で前記油水槽を内部に収容する中空の直方体の形状を有するハウジングと
を含み、前記ハウジングは脚を備え、前記脚の間に空気が流通し、前記脚の間に流通した空気が前記垂直管を介して前記水平管へ流入する油水槽フライヤー装置。
【請求項２】
前記水平管は、上下の長さが長い長方形の断面を有することを特徴とする、請求項１に記載の油水槽フライヤー装置。
【請求項３】
前記冷却管は、前記水平管を互いに連結する補助水平管をさらに含むことを特徴とする、請求項２に記載の油水槽フライヤー装置。
【請求項４】
前記補助水平管は、前記水平管と同一の断面形状を有することを特徴とする、請求項３に記載の油水槽フライヤー装置。
【請求項５】
前記油水槽は、前記水平管領域内に水と揚げ油の境界面を観察するための覗き窓を備えることを特徴とする、請求項１に記載の油水槽フライヤー装置。
【請求項６】
前記揚げカゴは、底面が複数個のスリットを備えた金属板からなることを特徴とする、請求項１に記載の油水槽フライヤー装置。
【請求項７】
前記スリットの幅が２〜５ｍｍの範囲であることを特徴とする、請求項６に記載の油水槽フライヤー装置。
【考案の詳細な説明】
【技術分野】
【０００１】
本考案は、食品フライヤー装置に関し、より詳細には、広い水位範囲で安全に動作できるようにした油水槽フライヤー装置に関する。
【背景技術】
【０００２】
油水槽フライヤー装置は、水と油を所定の缶に入れ、その比重の差により油は上部に位置し水は下部に位置した状態で、揚げ物材料を油中に入れて食品を揚げるためのものである。油と水の境界面には冷却管が設けられ、油領域にヒータが設けられている構造を有する。
【０００３】
ところが、油水槽フライヤー装置は、油と水の境界面が冷却管から外れると水が沸騰して油が飛散することとなるため、水位の調節に格別な注意を払う必要があるという問題があった。
【０００４】
係わる先行技術として、韓国特許出願公開１０‐２０１３‐００２５４６８号（公開日：２０１３年３月１２日）「油水槽圧力式加熱フライヤー装置」がある。
【先行技術文献】
【特許文献】
【０００５】
【特許文献１】韓国特許出願公開１０‐２０１３‐００２５４６８号公報
【考案の概要】
【考案が解決しようとする課題】
【０００６】
本考案の目的は、水と油の境界面が幅広い領域で安全に使用できる油水槽フライヤー装置を提供することにある。
【０００７】
本考案の他の目的は、揚げかすがヒータに付着することを防止することができる油水槽フライヤー装置を提供することにある。
【課題を解決するための手段】
【０００８】
本考案は、水と揚げ油が収容される空間を形成する油水槽と、前記油水槽の内部に形成され、前記油水槽の底面から垂直方向に形成される垂直管と、前記油水槽の側面を貫通するように形成される水平管とが互いに連通するように連結されて形成される冷却管と、前記油水槽の内部において、前記冷却管の上部に形成される加熱手段と、前記油水槽に載置され、揚げ物の収容空間を形成する揚げカゴと、前記油水槽の底面が床から離間した状態で前記油水槽を内部に収容する中空の直方体の形状を有するハウジングとを含み、前記ハウジングは脚を備え、前記脚の間に空気が流通し、前記脚の間に流通した空気が前記垂直管を介して前記水平管へ流入する油水槽フライヤー装置を提供する。
【０００９】
前記水平管は、上下の長さが長い長方形の断面を有することが好ましい。
【００１０】
また、前記冷却管は、前記水平管を互いに連結する補助水平管をさらに含むことができる。
【００１１】
この際、前記補助水平管は、前記水平管と同一の断面形状を有することがより好ましい。
【００１２】
また、前記油水槽は、前記水平管領域内に水と揚げ油の境界面を観察するための覗き窓を備えることが好ましい。
【００１３】
前記揚げカゴは、底面が複数個のスリットを備えた金属板からなっており、この際、前記スリットの幅が２〜５ｍｍの範囲であることがより好ましい。
【考案の効果】
【００１４】
本考案による油水槽フライヤー装置は、水と油の境界面が幅広い領域で安定して使用できるため、業務用でなく家庭用でも便利に使用可能である。
【００１５】
また、本考案による油水槽フライヤー装置は、料理物や料理かすがヒータに付着することを防止して、管理が簡便である。
【図面の簡単な説明】
【００１６】
【図１】本考案の実施例による油水槽フライヤー装置の外観を示す斜視図である。
【図２】本考案の実施例による油水槽フライヤー装置の縦断面図である。
【図３】本考案の実施例による油水槽フライヤー装置の横断面図である。
【図４】本考案の実施例による油水槽フライヤー装置の揚げカゴの底面を示す図である。
【考案を実施するための形態】
【００１７】
本明細書及び実用新案登録請求の範囲に用いられた用語や単語は通常的または辞書的な意味に限定して解釈されてはならず、考案者が自らの考案を最善の方法で説明するために用語の概念を適切に定義することができるという原則にしたがって、本考案の技術的思想にかなう意味と概念に解釈されるべきである。また、本明細書に記載の実施例と図面に示す構成は、本考案のもっとも好ましい実施例の一つに過ぎず、本考案の技術的思想の全部を代弁しているわけではないため、本考案の出願時点においてそれらに代替可能な多様な均等物と変形例があり得ることを理解するべきである。
【００１８】
以下、本考案の実施例による油水槽フライヤー装置を添付図面を参照して詳細に説明する。
【００１９】
図１は本考案の実施例による油水槽フライヤー装置の外観を示す斜視図である。
【００２０】
図示するように、本考案の実施例による油水槽フライヤー装置１００は、略直方体のボックス形状を有するハウジング１１０と、前記ハウジング１１０の内部に収容される油水槽１２０と、を含む。
【００２１】
図示するように、ハウジング１１０は中空筒状を有しており、脚１１２を備えて脚１１２の間に空気が流通することができる形態からなる。また、油水槽１２０の底面が設置床から離間した状態でハウジング１１０に載置される。
【００２２】
ハウジング１１０は、底板のない筒状を有しており、油水槽１２０の底面が床側の外面となる。
【００２３】
油水槽１２０の底面には、後述する冷却管の垂直管１３２が形成されており、油水槽１２０の底面が床から離隔しているため、外部の空気が油水槽１２０の底面に流通して垂直管１３２に流入されるようにするためのものである。
【００２４】
また、ハウジング１１０には覗き窓１１５が備えられており、油水槽１２０にも、ハウジング１１０の覗き窓１１５と同一の位置に覗き窓が備えられている。
【００２５】
油水槽１２０の覗き窓は、後述する冷却管１３０の水平管１３４の配置位置を確認するために形成されるものであって、覗き窓１１５を介して油水槽の内部の水と揚げ油の境界水位を確認することができる。
【００２６】
また、ハウジング１１０には、開閉可能な蓋１１４が備えられることができる。
【００２７】
図２は本考案の実施例による油水槽フライヤー装置の縦断面図である。
【００２８】
図示するように、油水槽１２０は、水と揚げ油が収容される空間を形成するように筒状を有する。
【００２９】
油水槽１２０の底面１２２は一方に傾斜して形成されており、傾斜の下流側に排出管（不図示）を備えている。排出管は、油水槽に貯蔵されている水や揚げ油を外部に排出する際に用いられる。
【００３０】
油水槽１２０の内部には冷却管１３０が備えられており、冷却管１３０の上側に加熱手段１４０が備えられている。
【００３１】
加熱手段１４０としては、ＰＴＣヒータなどの電熱ヒータが用いられることができる。
【００３２】
冷却管１３０は、油水槽１２０の底面１２２を貫通して垂直方向に延びて形成される垂直管１３２と、油水槽１２０の側面を貫通するように形成される水平管１３４と、を含み、垂直管１３２と水平管１３４は、互いに連通するように連結されている。
【００３３】
加熱手段１４０は水平管１３４の上側に配置されている。
【００３４】
水と揚げ油の境界面が水平管１３４の上側に位置するように水と揚げ油を満たすと、加熱手段１４０が揚げ油に浸漬された状態となる。
【００３５】
加熱手段１４０を動作させて揚げ油に熱を加えると、加熱された油が上方へ浮上し、下側は水と冷却管１３０により冷却される。
【００３６】
水と揚げ油の境界面に水平管１３４が位置すると、揚げ油によって水が加熱されて気化されることを防止することができるためである。
【００３７】
円形断面の冷却管を水平方向にのみ配置すると、境界面を冷却管に合わせにくい。
【００３８】
水平管１３４が上下に長い長方形状の断面を有するようにすることで、水と揚げ油の境界面が位置できる範囲を拡大させた。
【００３９】
また、水平管１３４に垂直管１３２を連結することで、下部の冷たい空気が垂直管１３２を介して円滑に流入されるようにすることにより、冷却管１３０の冷却効果を向上させる効果ももたらす。
【００４０】
そして、本考案による油水槽フライヤー装置は、油水槽に載置され、揚げ物の収容空間を形成する揚げカゴ１５０を備える。
【００４１】
揚げカゴ１５０は、揚げ物から落ちるかすが油水槽の内部を汚染しないようにするとともに、揚げ物が加熱手段１４０に直接接触しないようにする役割を担う。
【００４２】
図３は本考案の実施例による油水槽フライヤー装置の横断面図である。
【００４３】
図示した断面は、水平管１３４の部分を切断して示したものである。
【００４４】
図示するように、水平管１３４は、油水槽１２０を水平方向に貫通するように形成されており、水平管１３４を互いに連結する補助水平管１３６がさらに備えられることができる。
【００４５】
補助水平管１３６は、油水槽１２０の側面を貫通する形態で形成されるのではなく、水平管１３４を互いに連結する形態で形成されるものであって、水平管１３４と同様に冷却管１３０を構成する。
【００４６】
補助水平管１３６は、水平管１３４と同一の断面形状を有することが好ましい。
【００４７】
図４は本考案の実施例による油水槽フライヤー装置の揚げカゴの底面を示す図である。
【００４８】
図示するように、揚げカゴ１５０の底面は、複数個のスリットを備えた金属板からなることができる。
【００４９】
この際、スリットの幅は２〜５ｍｍの範囲であることが好ましい。
【００５０】
スリットの幅が２ｍｍ未満であると、揚げ油が円滑に循環されない恐れがあり、スリットの幅が５ｍｍを超えると、揚げかすが油水槽の内部に落下する量が増加して好ましくない。
【００５１】
通常、網体状の揚げカゴが用いられているが、網体状の揚げカゴは、揚げ物から落ちるパン粉が挟まったり、軟質の揚げ物材料が網体に吸着したりなどの問題を有していた。
【００５２】
本考案によれば、スリットを備えた板形態の底面を備えることで、揚げ物が付着したり、かすなどが油水槽の内部を汚染したりする問題を低減する効果をもたらす。
【００５３】
上述の実施例は、全ての点で例示に過ぎず、限定的なものではないと理解するべきであり、本考案の範囲は、上述の詳細な説明よりは、添付の実用新案登録請求の範囲によって示される。また、添付の実用新案登録請求の範囲の意味及び範囲だけでなく、その等価概念から導出される全ての変更及び変形可能な形態が、本考案の範囲に含まれると解釈されるべきである。
【符号の説明】
【００５４】
１００  油水槽フライヤー装置、１１０  ハウジング、１２０  油水槽、
１３０  冷却管、１３２   垂直管、  １３４  水平管、１３６  補助水平管、
１４０  加熱手段。
【図１】
0003216930.tif 000003
【図２】
0003216930.tif 000004
【図３】
0003216930.tif 000005
【図４】
0003216930.tif 000006